(57)【特許請求の範囲】
【請求項１】
筐体と、前記筐体の表面に露出して外部からの接触入力を検出すると共に前記接触入力に応じた表示内容を表示するタッチパネル部と、前記タッチパネル部の表示内容を制御する制御部と、を備える携帯電子機器において、
前記制御部は、前記タッチパネル部に複数のメニューボタンを表示させ、該複数のメニューボタンの内の一のメニューボタンに対する接触入力が検出されたときに、前記複数のメニューボタンの表示を消去し、前記タッチパネル部に前記一のメニューボタンのみを再度表示させ、該一のメニューボタンに対する接触入力が検出されたときに、該一のメニューボタンに対応する機能を実行することを特徴とする携帯電子機器。
【請求項２】
前記制御部は、前記タッチパネル部に前記一のメニューボタンを再度表示させる際に、所定の設定時間を有するタイマーを始動させ、
再度表示された前記一のメニューボタンに対する接触入力が前記タイマーの前記設定時間の満了前に検出されたときに、該一のメニューボタンに対応する機能を実行することを特徴とする請求項１に記載の携帯電子機器。
【請求項３】
前記制御部は、前記タッチパネル部における第１位置に前記一のメニューボタンを表示させ、該一のメニューボタンに対する接触入力が検出されたときに、前記タッチパネル部における前記第１位置とは異なる第２位置に前記一のメニューボタンを表示させ、該一のメニューボタンに対する接触入力が検出されたときに、該一のメニューボタンに対応する機能を実行することを特徴とする請求項１に記載の携帯電子機器。
【請求項４】
前記タッチパネル部における前記第１位置と前記第２位置とは、互いに、該タッチパネル部における対角線方向において、反対側の配置であることを特徴とする請求項３に記載の携帯電子機器。
【請求項５】
筐体と、前記筐体の表面に露出して外部からの接触入力を検出すると共に前記接触入力に応じた表示内容を表示するタッチパネル部と、前記タッチパネル部の表示内容を制御する制御部と、を備える携帯電子機器において、
前記制御部は、前記タッチパネル部における、対角線方向の領域の一端に所定のメニューボタンを表示させ、該メニューボタンに対する接触入力が検出されたときに、前記タッチパネル部における、前記対角線方向の領域の他端に所定の確認ボタンを表示させ、該確認ボタンに対する接触入力が検出されたときに、前記メニューボタンに対応する機能を実行することを特徴とする携帯電子機器。
【請求項６】
前記制御部は、前記確認ボタンの表示を契機として所定の設定時間を有するタイマーを始動させ、
前記確認ボタンに対する接触入力が前記タイマーの前記設定時間の満了前に検出されたときに、該メニューボタンに対応する機能を実行することを特徴とする請求項５に記載の携帯電子機器。
【発明の詳細な説明】
【技術分野】
【０００１】
この発明は、携帯電子機器に関する。
【背景技術】
【０００２】
タッチパネル部を有する携帯電子機器では、通話時にユーザーの耳や顔がタッチパネル部に接触したときに、タッチパネル部がこの接触を入力操作として検出して、誤操作が発生するという課題がある。このような課題に関する従来の携帯電子機器として、特許文献１に記載される技術が知られている。
【先行技術文献】
【特許文献】
【０００３】
【特許文献１】特開２０００−３４９８８６号公報
【発明の概要】
【発明が解決しようとする課題】
【０００４】
この発明は、タッチパネル部の誤操作を抑制できる携帯電子機器を提供することを目的とする。
【課題を解決するための手段】
【０００５】
上記目的を達成するため、この発明にかかる携帯電子機器は、筐体と、前記筐体の表面に露出して外部からの接触入力を検出すると共に前記接触入力に応じた表示内容を表示するタッチパネル部と、前記タッチパネル部の表示内容を制御する主制御部と、無線通信を実現する通信部とを備える携帯電子機器において、前記通信部が通信処理中の場合に、前記主制御部は、前記タッチパネル部の所定の第一位置に所定のメニューボタンを表示させ、前記メニューボタンに対する接触入力が検出されたときに、所定の確認ボタンを前記タッチパネル部上であって前記第一位置とは異なる第二位置に表示させ、且つ、前記確認ボタンに対する接触入力が検出されたときに、前記メニューボタンに対応する機能を実行することを特徴とする。
【０００６】
また、この発明にかかる携帯電子機器は、筐体と、前記筐体の表面に露出して外部からの接触入力を検出すると共に前記接触入力に応じた表示内容を表示するタッチパネル部と、前記タッチパネル部の表示内容を制御する主制御部と、各種アプリケーションプログラムを制御するアプリケーション制御部と、無線通信を実現する通信部とを備える携帯電子機器において、前記通信部が待ち受け中であって前記アプリケーションプログラムが起動していない場合に、前記主制御部は、前記タッチパネル部の所定の第一位置に所定のメニューボタンを表示させ、前記メニューボタンに対する接触入力が検出されたときに、所定の確認ボタンを前記タッチパネル部上であって前記第一位置とは異なる第二位置に表示させ、且つ、前記確認ボタンに対する接触入力が検出されたときに、前記メニューボタンに対応する機能を実行することを特徴とする。
【０００７】
また、この発明にかかる携帯電子機器は、筐体と、前記筐体の表面に露出して外部からの接触入力を検出すると共に前記接触入力に応じた表示内容を表示するタッチパネル部と、前記タッチパネル部の表示内容を制御する主制御部と、各種アプリケーションプログラムを制御するアプリケーション制御部と、無線通信を実現する通信部とを備える携帯電子機器において、前記通信部が待ち受け中であって前記アプリケーションプログラムが起動していないときに、前記主制御部は、前記タッチパネル部の所定の第一位置に所定のメニューボタンを表示させ、前記メニューボタンに対する接触入力が検出されたときに、所定の確認ボタンを前記タッチパネル部上であって前記第一位置とは異なる第二位置に表示させ、且つ、前記確認ボタンに対する接触入力が検出されたときに、前記メニューボタンに対応する機能を実行することを特徴とする。
【０００８】
また、この発明にかかる携帯電子機器は、無線通信を実現する通信部を備え、且つ、前記主制御部は、前記通信部が通信状態あるいは待受状態にあるときであって前記確認ボタンに対する接触入力が検出されたときに、前記メニューボタンに対応する機能を実行することが好ましい。
【０００９】
また、この発明にかかる携帯電子機器は、電話通信を実現する通信部を備え、且つ、前記主制御部は、前記通信部が通話状態にあるときであって前記確認ボタンに対する接触入力が検出されたときに、前記メニューボタンに対応する機能を実行することが好ましい。
【００１０】
また、この発明にかかる携帯電子機器は、前記タッチパネル部の表示領域を接触入力にかかる前記メニューボタンの表示領域と他の表示領域とに二分割するときに、前記主制御部は、前記確認ボタンを前記他の表示領域に表示させることが好ましい。
【００１１】
また、この発明にかかる携帯電子機器は、前記電話通信に用いられるレシーバを備え、且つ、前記主制御部は、前記確認ボタンを接触入力にかかる前記メニューボタンよりも前記レシーバに対して遠い位置に表示させることが好ましい。
【００１２】
また、この発明にかかる携帯電子機器は、所定の設定時間を有するタイマーを備え、且つ、前記主制御部は、前記確認ボタンの表示を契機として前記タイマーを始動すると共に、前記確認ボタンに対する接触入力が前記タイマーの設定時間の満了前に検出されたときに、前記メニューボタンに対応する機能を実行することが好ましい。
【００１３】
また、この発明にかかる携帯電子機器は、前記主制御部は、前記確認ボタンに対する接触入力が前記タイマーの設定時間の満了前に検出されなかったときに、前記確認ボタンを消去すると共に前記メニューボタンを前記第一位置に表示することが好ましい。
【００１４】
また、この発明にかかる携帯電子機器は、所定の設定時間を有するタイマーを備え、且つ、前記主制御部は、前記確認ボタンに対する接触入力が前記タイマーの設定時間の満了前に検出されたときに、前記確認ボタンを再度表示すると共に、当該確認ボタンに対する接触入力が検出されたときに前記メニューボタンに対応する機能を実行することが好ましい。
【発明の効果】
【００１５】
この発明にかかる携帯電子機器によれば、タッチパネル部の誤操作を効果的に抑制できる利点がある。
【図面の簡単な説明】
【００１６】
【図１】図１は、この発明の実施の形態にかかる携帯電子機器を示す斜視図である。
【図２】図２は、図１に記載した携帯電子機器を示す機能ブロック図である。
【図３】図３は、図１に記載した携帯電子機器の作用を示すフローチャートである。
【図４】図４は、図１に記載した携帯電子機器の作用を示す説明図である。
【図５】図５は、図１に記載した携帯電子機器の作用を示す説明図である。
【発明を実施するための形態】
【００１７】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１８】
［携帯電子機器］
図１は、この発明の実施の形態にかかる携帯電子機器を示す斜視図である。図２は、図１に記載した携帯電子機器を示す機能ブロック図である。
【００１９】
この携帯電子機器１は、例えば、携帯電話端末、ＰＨＳ（Personal Handy phone System）、ＰＤＡ（Personal Digital Assistant）、ポータブルナビゲーション装置、パーソナルコンピュータ、ゲーム機などに適用される。この実施の形態では、携帯電子機器１が携帯電話端末に適用される場合について説明する（図１参照）。
【００２０】
この携帯電子機器１は、タッチパネル部２と、入力部３と、基板（図示省略）と、電源部５と、通信部６と、レシーバ７と、マイク８と、記憶部９と、主制御部１０と、ＲＡＭ（Random Access Memory）１１とを備え、これらが筐体１２に組み込まれて構成される（図１および図２参照）。なお、この実施の形態では、携帯電子機器１がハンディサイズのタブレット形状を有している。
【００２１】
タッチパネル部２は、入力機能と表示機能とを有するパネルであり、タッチセンサ２１と表示部２２とから構成される。この実施の形態では、タッチパネル部２がタブレット形状を有する筐体１２の最も広い平面部に露出して配置されている。タッチセンサ２１は、タッチパネル部２への接触入力を検出するセンサであり、タッチパネル部２の入力機能を実現する。このタッチセンサ２１は、接触位置および接触動作を接触入力として検出できる。接触動作には、例えば、タッチ動作、リリース動作、タップ動作、スイープ動作、フリック動作、ピンチ動作などがある。また、タッチセンサ２１への接触入力は、例えば、指、スタイラス、ペンなどにより行われる。なお、タッチセンサ２１には、例えば、感圧式あるいは静電式の公知のセンサが採用され得る。表示部２２は、所定の表示内容を表示する部分であり、タッチパネル部２の表示機能を実現する。この表示部２２は、例えば、文字、図形、記号、画像などを表示内容として表示できる。なお、表示部２２には、例えば、液晶ディスプレイ（Liquid Crystal Display）、有機ＥＬ（Organic Electro−Luminescence）などの公知の表示パネルが採用され得る。
【００２２】
入力部３は、タッチパネル部２に対して独立した入力機能を有する。この入力部３には、例えば、ボタン式のハードキー、感圧式あるいは静電式の入力デバイスなどが採用され得る。例えば、この実施の形態では、入力部３がロック解除キーであり、押下動作を外部入力として検出して、その信号を主制御部１０に出力する。また、入力部３が、タッチパネル部２の側方であって筐体１２の長手方向の端部に配置されている。
【００２３】
基板（図示省略）は、例えば、記憶部９、主制御部１０およびＲＡＭ（Random Access Memory）１１を実現するための電子部品を実装する回路基板であり、筐体１２の内部に収容される。この実施の形態では、基板がタッチパネル部２の下層に配置されている。また、基板と、他の構成要素（タッチパネル部２、入力部３、電源部５、通信部６、レシーバ７およびマイク８）とが配線を介して電気的に接続されている。
【００２４】
電源部５は、蓄電池または外部電源から得られる電力を供給する。通信部６は、アンテナ６１を有し、基地局により割り当てられるチャネルを介して無線信号回線（例えば、基地局との間でＣＤＭＡ（Code Division Multiple Access）方式の回線）を確立することにより、基地局との無線通信（電話通信および情報通信）を実現する。例えば、この実施の形態では、通信部６が、無線通信を実現する無線部６１と、ベースバンド伝送を実現するベースバンド部６２とを有している。レシーバ７は、電話通信における相手側の音声や着信音等を出力する。マイク８は、利用者等の音声を電気的な信号へ変換する。なお、この実施の形態では、レシーバ７およびマイク８が、タッチパネル部２の側方であって筐体１２の長手方向の各端部にそれぞれ配置されている。
【００２５】
記憶部９は、例えば、不揮発性メモリあるいは磁気記憶装置であり、主制御部１０での処理に用いられるプログラムやデータを格納する。例えば、この実施の形態では、電話通信時にてタッチパネル部２に表示される各メニューボタンａ〜ｆの機能を実現するメニューボタンプログラム９１ａ〜９１ｆ、後述する通話中におけるタッチパネル部２の誤操作抑制制御を実行するための誤操作抑制制御プログラム９２、各種のアプリケーションを実行するためのアプリケーションプログラム９３などが、記憶部９に格納されている。その他、メール機能やブラウザ機能などの一般的機能を実現する機能プログラム、携帯電子機器１の基本的機能を実現するオペレーティングシステムプログラム、ユーザーの氏名／電話番号／メールアドレスなどを登録したアドレス帳データなどが、記憶部９に格納されている。
【００２６】
主制御部１０は、例えば、ＣＰＵ（Central Processing Unit）であり、携帯電子機器１の動作を統括的に制御する。例えば、主制御部１０は、記憶部９に記憶されたデータを必要に応じて参照しつつ、記憶部９に記憶されたプログラムを実行する。これにより、タッチパネル部２、入力部３、通信部６等が制御されて、携帯電子機器１の各機能が実現される。また、主制御部１０は、記憶部９から読み込んだプログラムや処理の実行により取得／生成／加工したデータを、ＲＡＭ１１に一時的に記憶する。また、この実施の形態では、主制御部１０が、通信部６を制御する通信制御部１０１と、各種のアプリケーションプログラム９３を制御するアプリケーション制御部１０２とを有している。なお、主制御部１０は、上記のプログラムやデータを通信部６の無線通信により外部のサーバ装置からダウンロードしてもよい。
【００２７】
その他、携帯電子機器１は、上記の構成要素に加えて、コネクタ、配線部、接地電極、接続端子などを有し、また、各種機能を実行するための部材あるいは機器を有している（図示省略）。
【００２８】
この携帯電子機器１では、タッチパネル部２あるいは入力部３が外部からの入力操作（タッチパネル部２への接触操作、あるいは、入力部３への押下操作）を検出すると、主制御部１０がこの入力操作に対応した処理を行う（図２参照）。例えば、タッチパネル部２に複数のメニューボタンが表示され、ユーザーが任意のメニューボタンを選択して接触操作することにより、主制御部１０が接触操作にかかるメニューボタンに対応したプログラム９１ａ〜９１ｆ、９２を記憶部９から読み込んで実行する。これにより、ユーザーの接触操作に対応した処理が行われる。
【００２９】
また、電話通信時（通話時）には、通信部６がアンテナ６１を介して無線信号回線を確立し、主制御部１０がレシーバ７およびマイク８を介して音声の入出力を行うことにより、ユーザーが通話できる。
【００３０】
［電話通信時におけるタッチパネル部の誤操作抑制制御］
図３〜図５は、図１に記載した携帯電子機器の作用を示すフローチャート（図３）ならびに説明図（図４および図５）である。
【００３１】
この携帯電子機器１では、電話通信時にて、タッチパネル部２に通話用のメニューボタンａ〜ｆが表示される（図４参照）。そして、ユーザーがこれらのメニューボタンａ〜ｆから任意のメニューボタンを選択して接触操作することにより、主制御部１０が接触操作に対応した処理を実行する。
【００３２】
ここで、静電式のタッチパネル部を有する一般的な携帯電子機器では、通話時にユーザーの耳や顔がタッチパネル部に接触すると、タッチパネル部がこれを入力操作として検出して、誤操作が発生するという課題がある。
【００３３】
そこで、この携帯電子機器１では、通話中におけるタッチパネル部２の誤操作を抑制するための制御が行われる（図３参照）。例えば、この実施の形態では、電話通信が開始されると、主制御部１０が誤操作抑制制御プログラム９２を記憶部９から読み込んで実行することにより、以下の制御が行われる。
【００３４】
ステップＳＴ０１では、通話初期化処理が行われる。この通話初期化処理は、例えば、後述する押下されたメニューボタンｃに対応する表示画面や確認ボタンｇの表示（ステップＳＴ０７）の消去処理、実行されたメニューボタンｃの機能の終了処理などが含まれる。このステップＳＴ０１の後に、ステップＳＴ０２に進む。
【００３５】
ステップＳＴ０２では、タイマーＡがスタートする。このタイマーＡは、後述するタッチパネル部２の画面消去およびバックライトのＯＦＦの処理（ステップＳＴ１４）を実行するための待機時間を規定するために用いられる。この実施の形態では、主制御部１０がタイマーＡのＯＮ／ＯＦＦ（スタート／停止）操作を行い、また、タイマーＡの設定時間が１分に設定されている。このステップＳＴ０２の後に、ステップＳＴ０３に進む。
【００３６】
ステップＳＴ０３では、タイマーＢが停止（リセット）される。このタイマーＢは、タイマーＡに対して独立したタイマーであり、後述する確認ボタンｇが押下されなかったときに通話時初期化処理（ステップＳＴ０１）に戻るまでの待機時間を規定するために用いられる。この実施の形態では、主制御部１０がタイマーＢのＯＮ／ＯＦＦ操作を行い、また、タイマーＢの設定時間が５秒に設定されている。このステップＳＴ０３の後に、ステップＳＴ０４に進む。
【００３７】
ステップＳＴ０４では、メニューボタンａ〜ｆがタッチパネル部２に表示される（図４参照）。このメニューボタンａ〜ｆは、通話中に使用可能な機能に関するボタンである。例えば、この実施の形態では、プッシュトーン、Blue tooth、スピーカホン、着信拒否、音声録音およびテキストメモの各機能に対応するアイコンが、タッチパネル部２に表示されている。また、メニューボタンａ〜ｆがタッチパネル部２の画面全域に渡って２列に配置されている。このステップＳＴ０４の後に、ステップＳＴ０５に進む。
【００３８】
ステップＳＴ０５では、ユーザーによる操作入力があるまで、割り込み処理待ち（待機状態）となる。このステップＳＴ０５の後に、ステップＳＴ０６に進む。
【００３９】
ステップＳＴ０６では、いずれかのメニューボタンａ〜ｆが押下されたか否かが判定される。このメニューボタンａ〜ｆの押下は、ユーザーの意思により行われる場合と、ユーザーの耳や顔との接触により誤って行われる場合とがある。例えば、この実施の形態におけるメニューボタンａ〜ｆの配置構成では、通話時にてユーザーの耳や顔がレシーバ７の近傍にあるメニューボタンａ〜ｃに接触し易くなっている。ここでは、タッチパネル部２（タッチセンサ２１）がメニューボタンａ〜ｆの押下を検出したときには、ユーザーの意思による操作か否かに関わらず、肯定判定が行われる。このステップＳＴ０６にて、肯定判定が行われた場合にはステップＳＴ０７に進み、否定判定が行われた場合にはステップＳＴ０９に進む。
【００４０】
ステップＳＴ０７では、押下されたメニューボタンに対応する表示画面がタッチパネル部２に表示され、また、確認ボタンｇがタッチパネル部２に表示される（図５参照）。これにより、押下されたメニューボタンに対応するプログラムの実行の待機状態となる。例えば、この実施の形態では、スピーカホンにかかるメニューボタンｃが押下されたため、「スピーカホンに切り替えますか？」という表示画面がタッチパネル部２に表示されている。また、「ＯＫ」という確認ボタンｇが併せて表示されて、メニューボタンｃに対応するメニューボタンプログラム９１ｃの実行の待機状態となっている。
【００４１】
ここで、確認ボタンｇは、メニューボタンｃの押下がユーザーの意思により行われたことを確認するために表示される。このため、確認ボタンｇは、タッチパネル部２上であって通話中のユーザーによる誤操作が生じ難い位置に表示されることが好ましい。また、確認ボタンｇは、押下されたメニューボタンｃの表示位置（図４参照）とは異なる位置に表示されることが好ましい。例えば、この実施の形態では、タッチパネル部２とレシーバ７およびマイク８とが筐体１２の同一面上であって相互に近接して配置されている。また、タッチパネル部２がレシーバ７およびマイク８の間に配置されている。このため、通話時には、レシーバ７の近傍にあるメニューボタンａ〜ｃに接触し易くなっている。そこで、確認ボタンｇがタッチパネル部２上であってレシーバ７から離れた位置、レシーバ７に対して相対的に遠い位置（レシーバ７よりもマイク８に近い位置）に表示されている（図５参照）。また、タッチパネル部２のレシーバ７側の領域にあるメニューボタンｃが押下された場合には、確認ボタンｇがタッチパネル部２のマイク８側の領域に表示されている。このステップＳＴ０７の後に、ステップＳＴ０８に進む。
【００４２】
ステップＳＴ０８では、タイマーＢがスタートする。このステップＳＴ０８の後に、ステップＳＴ０５に戻る。
【００４３】
ステップＳＴ０９では、確認ボタンｇが押下されたか否かが判定される。この確認ボタンｇの押下は、確認ボタンｇの表示位置が上記のように工夫されているので、ユーザーの意思により行われたものと推定できる。このステップＳＴ０９にて、肯定判定が行われた場合にはステップＳＴ１０に進み、否定判定が行われた場合にはステップＳＴ１２に進む。
【００４４】
ステップＳＴ１０では、タイマーＡおよびタイマーＢが停止（リセット）される。このステップＳＴ１０の後に、ステップＳＴ１１に進む。
【００４５】
ステップＳＴ１１では、押下されたメニューボタンｃに対応するプログラム９１ｃが実行される。例えば、この実施の形態では、スピーカホンのメニューボタンｃに対応する表示画面が表示されており、このメニューボタンｃに対応するプログラム９１ｃが実行されている。このステップＳＴ１１の後に、ステップＳＴ０１に戻る。
【００４６】
ステップＳＴ１２では、タイマーＡの設定時間（１分）が経過したか否かが判定される。このステップＳＴ１２にて、肯定判定が行われた場合にはステップＳＴ１３に進み、否定判定が行われた場合にはステップＳＴ１５に進む。
【００４７】
ステップＳＴ１３では、タイマーＡおよびタイマーＢが停止（リセット）される。このステップＳＴ１３の後に、ステップＳＴ１４に進む。
【００４８】
ステップＳＴ１４では、タッチパネル部２の表示画面が消去されて、バックライト（図示省略）がＯＦＦとなる。また、同時に、キーロック状態となり、入力部３の長押し操作（ステップＳＴ１６の肯定判定）が行われない限り、タッチパネル部２への接触入力が禁止される（主制御部１０がタッチパネル部２への接触入力に対して処理を行わない）。このステップＳＴ１４の後に、ステップＳＴ０５に戻る。
【００４９】
ステップＳＴ１５では、タイマーＢの設定時間（５秒）が経過したか否かが判定される。このステップＳＴ１５にて、肯定判定が行われた場合にはステップＳＴ０１に戻り、否定判定が行われた場合にはステップＳＴ１６に進む。
【００５０】
ステップＳＴ１６では、入力部３に対する所定の操作が行われたか否かが判定される。例えば、この実施の形態では、入力部３の長押し操作がロック解除操作として割り当てられており、この長押し操作が行われたときに、肯定判定が行われる。このステップＳＴ１６にて、肯定判定が行われた場合にはステップＳＴ０１に戻り、否定判定が行われた場合にはステップＳＴ０５に戻る。
【００５１】
なお、この実施の形態では、複数のメニューボタンａ〜ｆがタッチパネル部２に表示されている（図４参照）。しかし、これに限らず、単一のメニューボタンのみが表示されても良い（図示省略）。
【００５２】
また、この実施の形態では、接触入力にかかるメニューボタンｃと確認ボタンｇとが相互に異なるボタンとなっている（図４および図５参照）。しかし、これに限らず、接触入力にかかるメニューボタンｃと確認ボタンｇとが、例えば、同一のボタン（例えば、文字、図形、記号、画像など）であっても良い（図示省略）。例えば、メニューボタンｃが押下されると、このメニューボタンｃが当初の表示位置から所定の表示位置まで移動することとしても良い。
【００５３】
また、この実施の形態では、６つのメニューボタンａ〜ｆがタッチパネル部２に二段に分けて表示されている（図４参照）。そして、レシーバ７側を上側かつマイク８側を下側としたタッチパネル部２の平面視にて、タッチパネル部２の右上領域にあるメニューボタンｃが押下されると、確認ボタンｇがタッチパネル部２の右下領域（メニューボタンｆの位置）に表示されるように設定されている（図５参照）。このとき、確認ボタンｇは、いずれのメニューボタンａ〜ｆが押下された場合にも、タッチパネル部２の一定位置に表示されるように設定されている。
【００５４】
しかし、これに限らず、確認ボタンｇが、押下されたメニューボタンに応じて押下されたメニューボタンの表示位置とは異なる所定の表示位置に表示されても良い（図示省略）。例えば、図４において、メニューボタンａ（ｂ）が押下された場合には、確認ボタンｇがメニューボタンｄ（ｅ）の位置に表示され、逆に、メニューボタンｄ（ｅ）が押下された場合には、確認ボタンｇがメニューボタンａ（ｂ）の位置に表示されても良い。すなわち、確認ボタンｇの表示位置が、押下されたメニューボタンａ〜ｆの表示位置に対して相互に異なる位置（同一要因による連続した誤操作が行われない程度の離れた位置）にあれば良い。
【００５５】
また、言い換えれば、タッチパネル部２をレシーバ７側の表示領域とマイク８側の表示領域とに二分するときに、押下されたメニューボタンｃの表示領域とは異なる表示領域に、確認ボタンが表示されている（図４および図５参照）。また、変形例として、マイク８側の表示領域の表示領域にあるメニューボタンｄ〜ｆが押下された場合には、確認ボタンｇがレシーバ７側の表示領域に表示され得る。同様に、図４の右側（左側）の表示領域にあるメニューボタンｃ、ｆ（ａ、ｄ）が押下された場合には、確認ボタンｇが図４の左側（右側）の表示領域に表示され得る。さらに、図４の右上側（左上側）の表示領域にあるメニューボタンｃ（ａ）が押下された場合には、確認ボタンｇがタッチパネル部２の対角線方向の領域、すなわち、図４の左下側（右下側）の表示領域に表示されてもよい。
【００５６】
また、この実施の形態では、電話通信時におけるタッチパネル部の誤操作抑制制御について説明したが、これに限らず、情報通信時などの他の無線通信時においても、同様の制御が行われても良い。例えば、情報通信時における通信状態あるいは待受状態においても、上記の制御を行い得る。
【００５７】
また、この実施の形態では、いずれかのメニューボタンｃが押下されたときには、初期画面のメニューボタンａ〜ｆ（図４参照）を消去してから、押下されたメニューボタンｃに対応する表示画面と確認ボタンｇとを表示している（ステップＳＴ０６の肯定判定およびステップＳＴ０７）（図５参照）。しかし、これに限らず、いずれかのメニューボタンが押下されたときに、初期画面のメニューボタンａ〜ｆを表示したまま、確認ボタンｇを表示しても良い（図示省略）。
【００５８】
［効果］
以上説明したように、この携帯電子機器１は、筐体１２と、この筐体１２の表面に露出して外部からの接触入力（タッチ操作）を検出すると共に接触入力に応じた表示内容を表示するタッチパネル部２と、このタッチパネル部２の表示内容を制御する主制御部１０（制御部）とを備える（図１および図２参照）。また、主制御部１０は、タッチパネル部２の所定の第一位置に所定のメニューボタンａ〜ｆを表示させる（ステップＳＴ０４）（図３および図４参照）。また、主制御部１０は、メニューボタンｃに対する接触入力（ユーザーの意思による接触入力あるいは誤操作による接触入力）が検出されたときに、所定の確認ボタンｇをタッチパネル部２上であって第一位置とは異なる第二位置に表示させる（ステップＳＴ０６の肯定判定およびステップＳＴ０７）（図５参照）。そして、主制御部１０は、確認ボタンｇに対する接触入力が検出されたときに、接触入力にかかるメニューボタンｃに対応する機能を実行する（ステップＳＴ０９の肯定判定およびステップＳＴ１１）。
【００５９】
かかる構成では、メニューボタンｃに対して接触入力があったときに、その確認ボタンｇが表示されるので、接触入力に対するユーザーの意思を確認できる。これにより、ユーザーによるタッチパネル部の誤操作を抑制できる利点がある。また、このとき、接触入力にかかるメニューボタンｃと確認ボタンｇとが相互に異なる位置に表示されるので、これらのボタンが同位置に表示される構成（図示省略）と比較して、同一要因によるタッチパネル部の誤操作を効果的に抑制できる利点がある。
【００６０】
また、かかる構成では、例えば、近接センサを搭載してユーザーの耳や顔の接近を検出する構成（図示省略）と比較して、部品点数および製造コストを低減できる利点がある。また、例えば、通話中におけるすべてのメニューボタンが当初から誤操作を生じさせ難い位置に表示される構成（図示省略）と比較して、タッチパネル部２におけるメニューボタンａ〜ｆの配置やデザインの自由度を広く確保できる利点がある。
【００６１】
また、この携帯電子機器１は、無線通信（電話通信および情報通信）を実現する通信部６を備える（図２参照）。そして、主制御部１０は、通信部６が通信状態あるいは待受状態にあるときであって確認ボタンｇに対する接触入力が検出されたときに、接触入力にかかるメニューボタンｃに対応する機能を実行する（ステップＳＴ０９の肯定判定およびステップＳＴ１１）（図３参照）。
【００６２】
かかる構成では、誤操作が生じ易い無線通信時にて上記の制御が行われることにより、タッチパネル部２の誤操作を効果的に抑制できる利点がある。
【００６３】
また、この携帯電子機器１は、電話通信を実現する通信部６を備える（図２参照）。そして、主制御部１０は、通信部６が通話状態にあるときであって確認ボタンｇに対する接触入力が検出されたときに、接触入力にかかるメニューボタンｃに対応する機能を実行する（ステップＳＴ０９の肯定判定およびステップＳＴ１１）（図３参照）。
【００６４】
かかる構成では、誤操作が生じ易い電話通信時にて上記の制御が行われることにより、タッチパネル部２の誤操作を効果的に抑制できる利点がある。
【００６５】
また、この携帯電子機器１は、タッチパネル部２の表示領域を接触入力にかかるメニューボタンの表示領域と他の表示領域とに二分割するときに、主制御部１０は、確認ボタンｇを他の表示領域に表示させることが好ましい（図４および図５参照）。これにより、確認ボタンｇに対する誤操作（押下されたメニューボタンに対する誤操作と同一要因の誤操作）を抑制できるので、タッチパネル部２の誤操作を効果的に抑制できる利点がある。
【００６６】
また、この携帯電子機器１では、電話通信に用いられるレシーバ７を備える構成において、主制御部１０は、確認ボタンｇを接触入力にかかるメニューボタンｃよりもレシーバ７に対して遠い位置に表示させることが好ましい（図４および図５参照）。これにより、確認ボタンｇに対する誤操作（押下されたメニューボタンに対する誤操作と同一要因の誤操作）を抑制できるので、タッチパネル部２の誤操作を効果的に抑制できる利点がある。
【００６７】
また、この携帯電子機器１は、所定の設定時間を有するタイマーＢを備える。そして、主制御部１０は、確認ボタンｇの表示を契機としてタイマーＢを始動する（ステップＳＴ０７およびＳＴ０８）と共に、確認ボタンｇに対する接触入力がタイマーＢの設定時間の満了前に検出されたときに、接触入力にかかるメニューボタンｃに対応する機能を実行する（ステップＳＴ１５の否定判定、ステップＳＴ０９の肯定判定およびステップＳＴ１１）（図３参照）。例えば、この実施の形態では、タイマーＢが５秒の設定時間を有しており、確認ボタンｇの押下が確認ボタンｇの表示から設定時間の経過前に行われたときに、メニューボタンｃの機能が実行されている。
【００６８】
かかる構成では、確認ボタンｇに対する接触入力について時間制限（設定時間）が設けられることにより、メニューボタンｃに対する接触入力がユーザーの意思によるものなのか否かを的確に検出できる。これにより、タッチパネル部の誤操作を効果的に抑制できる利点がある。例えば、ユーザーの意思によりメニューボタンｃが押下された場合には、この確認ボタンｇが短時間（設定時間）のうちに押下される場合が多い。一方で、誤操作によりメニューボタンｃが押下された場合には、所定の設定時間を経過しても確認ボタンｇが押下されない場合が多いと考えられる。
【００６９】
また、この携帯電子機器１では、主制御部１０は、確認ボタンｇに対する接触入力がタイマーＢの設定時間の満了前に検出されなかったときに、この確認ボタンｇを消去すると共にメニューボタンａ〜ｆをタッチパネル部２の第一位置に表示する（ステップＳＴ１５の否定判定、ステップＳＴ０１およびステップＳＴ０４）（図３参照）。例えば、この実施の形態では、確認ボタンｇの押下が設定時間を経過しても行われないときに、確認ボタンｇを消去（通話初期化処理）して、再びメニューボタンａ〜ｆを表示することとしている。なお、かかるメニューボタンａ〜ｆの表示は、（ａ）確認ボタンｇの表示にあたりメニューボタンａ〜ｆを消去する構成において、メニューボタンａ〜ｆを再表示することとしても良いし、（ｂ）確認ボタンｇの表示にあたりメニューボタンａ〜ｆを消去しない構成において、メニューボタンａ〜ｆの表示をそのまま維持することとしても良い。
【００７０】
かかる構成では、例えば、誤操作によりメニューボタンａ〜ｆが押下されたときに、タッチパネル部２を速やかに初期画面（図４参照）に戻し得る。これにより、タッチパネル部２の表示を適正に維持できる利点がある。
【００７１】
なお、この携帯電子機器１は、所定の設定時間を有するタイマーＢを備える。そして、主制御部１０は、確認ボタンｇに対する接触入力がタイマーＢの設定時間の満了前に検出されたときに、確認ボタンｇを再度表示すると共に、この確認ボタンｇに対する接触入力が検出されたときに接触入力にかかるメニューボタンｃに対応する機能を実行することとしても良い（図示省略）。
【００７２】
かかる構成では、例えば、タッチパネル部２の全面に渡ってメニューボタンａ〜ｆが表示される構成において、確認ボタンｇを複数回表示することにより、ユーザーの意思確認を複数回行い得る。これにより、タッチパネル部２の誤操作をより効果的に抑制できる利点がある。
【００７３】
また、この携帯電子機器１は、所定の設定時間を有するタイマーＡを備える。そして、主制御部１０は、通話開始後にタイマーＡを始動し（ステップＳＴ０２）、確認ボタンｇに対する接触入力がタイマーＡの設定時間の満了前に検出されなかったときに、タッチパネル部２への接触入力を禁止する（ステップＳＴ０９の否定判定、ステップＳＴ１２の肯定判定およびステップＳＴ１４）（図３参照）。例えば、この実施の形態では、確認ボタンｇの押下が通話開始から１分（タイマーＡの設定時間）を経過しても行われないときに、タッチパネル部２への接触入力を禁止している。
【００７４】
かかる構成では、通話開始から所定時間経過すると、誤操作が行われてもタッチパネル部２への接触入力が禁止される。これにより、タッチパネル部２の誤操作が適正に抑制される利点がある。特に、この制御が上記の確認ボタンｇの表示による誤操作抑制制御と組み合わされることにより、タッチパネル部２の誤操作をより効果的に抑制できる利点がある。
【産業上の利用可能性】
【００７５】
以上のように、この発明にかかる携帯電子機器は、タッチパネル部の誤操作を抑制できる点で有用である。
【符号の説明】
【００７６】
１  携帯電子機器、２  タッチパネル部、３  入力部、５  電源部、６  通信部、７  レシーバ、８  マイク、９  記憶部、１０  主制御部、１２  筐体、２１  タッチセンサ、２２  表示部、６１  アンテナ、９１ａ〜９１ｆ  メニューボタンプログラム、９２  誤操作抑制制御プログラム、９３  アプリケーションプログラム
【図１】
0005727742.tif 000002
【図２】
0005727742.tif 000003
【図３】
0005727742.tif 000004
【図４】
0005727742.tif 000005
【図５】
0005727742.tif 000006